(57)【特許請求の範囲】
【請求項１】
被収納物が挿入される開口と当該被収納物を支持可能な底面とを有する収納部と、
光源と、
発光面を有し前記光源の光を導いて当該発光面から発光させる導光板と、
を備え、
前記導光板は、前記収納部の前記開口と前記底面との間に配置され、
前記導光板の前記発光面の少なくとも一部は、前記底面に対して鋭角をなして、当該底面を直接に斜め方向から照射するようになっており、
前記収納部は、前記導光板に対する前記底面の側において、前記底面に向かって先細となる傾斜面を有しており、
前記発光面は、前記傾斜面と前記底面とを同時に照射するようになっており、
前記発光面は、前記傾斜面と前記底面の中心部とを同時に照射するようになっており、
前記収納部は、前記導光板に対する前記開口の側において、前記導光板を覆う壁部を有しており、
前記壁部の一部は、前記導光板の前記発光面を内側から覆っている
ことを特徴とする照明装置。
【請求項２】
前記発光面の少なくとも一部は、前記底面に対して、５〜８５度をなしている
ことを特徴とする請求項１に記載の照明装置。
【請求項３】
前記導光板は、前記発光面と平行に対向する背面を有している
ことを特徴とする請求項１または２に記載の照明装置。
【発明の詳細な説明】
【技術分野】
【０００１】
本発明は、被収納物が挿入される開口と当該被収納物を支持可能な底面とを有する収納部と、光源と、発光面を有し前記光源の光を導いて当該発光面から発光させる導光板と、を備えた照明装置に関する。
【背景技術】
【０００２】
特許文献１に記載された照明装置は、被収納物が挿入される開口と当該被収納物を支持可能な底面とを有するカップホルダーと、前記開口周りに沿って配置された短冊状のエレクトロ・ルミネッセンス材料からなる光源と、を備えている。エレクトロ・ルミネッセンス材料からなる光源は、一般の点光源と異なり、発光面全体が均一に発光するため、カップホルダーの開口領域の全体をムラなく照射することができる。  
【０００３】
特許文献２の図１乃至図５に記載された照明装置は、被収納物が挿入される開口と当該被収納物を支持可能な底面とを有するカップホルダーと、円環状またはドーナッツ状のＥＬフィルムからなる発光面を有する光源と、を備えている。このような照明装置によっても、カップホルダーの開口領域の全体をムラなく照射することができる。  
【０００４】
これらの照明装置は、カップホルダーの開口領域において被収納物の側方から光を照射するタイプの装置である。これに対して、特許文献２の図６乃至図８に記載された照明装置は、円錐状傾斜面での反射を利用して、カップホルダーの開口領域を下方から照明するタイプの装置である。
【先行技術文献】
【特許文献】
【０００５】
【特許文献１】特開２００５−３２９７５３号公報
【特許文献２】特許第４６４８９１３号公報
【発明の概要】
【発明が解決しようとする課題】
【０００６】
本件発明者は、間接照明付きのカップホルダーの開発ないし設計を進める上で、照明の仕方について様々な検討を行った。その過程で、カップホルダーの開口領域を下方から照明するタイプにおいて、カップホルダーの底面からの反射光を利用する照明の仕方が、間接照明として独特の美観を醸し出すことを知見した。
【０００７】
本発明は、以上の知見に基づいて創案されたものである。本発明の目的は、被収納物が挿入される開口と当該被収納物を支持可能な底面とを有する収納部と、光源と、発光面を有し前記光源の光を導いて当該発光面から発光させる導光板と、を備えた照明装置であって、収納部の底面からの反射光を利用することができる照明装置を提供することである。
【課題を解決するための手段】
【０００８】
本発明は、被収納物が挿入される開口と当該被収納物を支持可能な底面とを有する収納部と、光源と、発光面を有し前記光源の光を導いて当該発光面から発光させる導光板と、を備え、前記導光板は、前記収納部の前記開口と前記底面との間に配置され、前記導光板の前記発光面の少なくとも一部は、前記底面に対して鋭角をなして、当該底面を直接に斜め方向から照射するようになっていることを特徴とする照明装置である。
【０００９】
本発明によれば、導光板の発光面の少なくとも一部が底面に対して鋭角をなして、当該底面を直接に斜め方向から照射するようになっていることにより、当該底面からの反射光を利用することができて、間接照明として独特の美観を醸し出すことができる。
【００１０】
好ましくは、前記発光面の少なくとも一部は、前記底面に対して、５〜８５度をなしている。更に好ましくは、前記発光面の少なくとも一部は、前記底面に対して、２０〜４０度をなしている。
【００１１】
また、好ましくは、前記収納部は、前記導光板に対する前記底面の側において、前記底面に向かって先細となる傾斜面を有している。この場合、更に好ましくは、前記発光面は、前記傾斜面と前記底面とを同時に照射するようになっている。この場合、底面からの反射光に加えて、傾斜面からの反射光をも利用することができるため、間接照明として更に独特の美観を醸し出すことができる。
【００１２】
この場合、前記発光面は、前記傾斜面と前記底面の中心部とを同時に照射するようになっていることが更に好ましい。底面の中心部とは、本明細書では、底面についての１／２以下の比率の相似形の領域を意味する。本件発明者によれば、このような照射条件の時に、間接照明として最も美しい美観を醸し出すことができることが確認された。
【００１３】
また、前記収納部は、前記導光板に対する前記開口の側において、前記導光板を覆う壁部を有していることが好ましい。この場合、導光板が直接に視認されることを防止することができるため、間接照明としての美観を更に強調することができる。
【００１４】
また、前記導光板は、前記発光面と平行に対向する背面を有していることが好ましい。この場合、発光面から照射される光の指向性を高めることができ、照明の強さ（量）を制御することが容易である。
【００１５】
また、前記背面の表面状態を積極的に変化させて、照明の強さ（量）を制御してもよい。前記背面の表面状態を変化させれば、照射範囲を制御することもできる。前記背面の表面状態を変化させる具体的な態様としては、凸凹形状を設けることや、シボ加工を施すことなどが例として挙げられる。
【発明の効果】
【００１６】
本発明によれば、導光板の発光面の少なくとも一部が底面に対して鋭角をなして、当該底面を直接に斜め方向から照射するようになっていることにより、当該底面からの反射光を利用することができて、間接照明として独特の美観を醸し出すことができる。
【図面の簡単な説明】
【００１７】
【図１】本発明の一実施の形態の照明装置の概略斜視図である。
【図２】図１の照明装置の開口側収納部を示す概略斜視図である。
【図３】図１の照明装置の底面側収納部を示す概略斜視図である。
【図４】図１の照明装置の導光板を示す概略斜視図である。
【図５】図１の照明装置の光源を示す概略斜視図である。
【図６】図１の照明装置の概略断面図である。
【図７】図６の要部拡大図である。
【発明を実施するための形態】
【００１８】
以下に、添付の図面を参照して、本発明の実施の形態を詳細に説明する。
【００１９】
図１は、本発明の一実施の形態の照明装置１００の概略斜視図である。図１に示す照明装置１００は、ペットボトル等の被収納物が挿入される開口１１と当該被収納物を支持可能な底面１２とを有するカップホルダである収納部１０を備えている。図２及び図３に示すように、収納部１０は、開口側（上側）収納部１０Ａと、底面側（下側）収納部１０Ｂと、を有している。そして、開口側収納部１０Ａと底面側収納部１０Ｂとに挟まれるように、図４に示す光透過性脂製の導光板３０が配置されており、図５に示す光源の光を導いて環状の斜め下向きの発光面３１から光を照射するようになっている。図５に示すように、本実施の形態の光源は、ＬＥＤユニット２０である。
【００２０】
図６は、図１の照明装置の概略断面図であり、図７は、図６の要部拡大図である。図６及び図７に示すように、導光板３０は、開口側収納部１０Ａの開口１１と、底面側収納部１０Ｂの底面１２との間に配置されており、導光板３０の環状の発光面３１は、底面１２に対して５〜８５度、好ましくは２０〜４０度の角度をなして、底面１２を直接に斜め方向から照射するようになっている。
【００２１】
また、図６及び図７に示すように、底面側収納部１０Ｂは、導光板３０に対する底面１２の側において、底面１２に向かって先細となる傾斜面１３を有している。そして、本実施の形態においては、導光板３０の発光面３１は、傾斜面１３と底面１２の中心部とを同時に照射するようになっている。底面１２の中心部とは、底面１２についての１／２以下の比率の相似形の領域である。
【００２２】
また、図６及び図７に示すように、開口側収納部１０Ａは、導光板３０に対する開口１１の側において、導光板３０を覆う壁部１４を有している。図７の例においては、斜線を施した領域が、壁部１４である。
【００２３】
また、図６及び図７に示すように、導光板３０は、発光面３１と平行に対向する背面３２を有している。
【００２４】
次に、以上のような本実施の形態の作用について説明する。
【００２５】
本実施の形態では、導光板３０の発光面３１が底面１２に対して２０〜４０度の角度をなしていて、当該底面１２を直接に斜め方向から照射する。このため、当該底面１２からの反射光を利用することができて、間接照明として独特の美観を醸し出す。
【００２６】
また、本実施の形態では、底面側収納部１０Ｂは、導光板３０に対する底面１２の側において、底面１２に向かって先細となる傾斜面１３を有しており、導光板３０の発光面３１は、傾斜面１３と底面１２とを同時に照射する。このため、底面１２からの反射光に加えて、傾斜面１３からの反射光をも利用することができ、間接照明として更に独特の美観を醸し出す。特に、本実施の形態では、底面１２の中心部が照射されることにより、間接照明として最も美しい美観を醸し出すことができる。
【００２７】
また、本実施の形態では、開口側収納部１０Ａの壁部材によって、導光板３０が開口１１の側から直接に視認されることが防止されているため、間接照明としてのデザイン性に優れる他、導光板３０からの直接光が自動車等の窓ガラスに映り込む虞を完全に解消することができる。
【００２８】
また、本実施の形態では、導光板３０が発光面３１と平行に対向する背面３２を有していることにより、発光面３１から照射される光の指向性を高めることができ、照明の強さ（量）を制御することも容易である。
【００２９】
以上のように、本実施の形態によれば、導光板３０の発光面３１が底面１２に対して鋭角をなして、当該底面１２を直接に斜め方向から照射するようになっていることにより、当該底面１２からの反射光を利用することができ、間接照明として独特の美観を醸し出すことができる。
【００３０】
また、本実施の形態によれば、底面側収納部１０Ｂが、導光板３０に対する底面１２の側において底面１２に向かって先細となる傾斜面１３を有していて、発光面３０が傾斜面１３と底面１２とを同時に照射するようになっているため、底面１２からの反射光に加えて傾斜面１３からの反射光をも利用することができ、間接照明として更に独特の美観を醸し出すことができる。
【００３１】
また、本実施の形態によれば、発光面３０が傾斜面１３と底面１２の中心部とを同時に照射するようになっているため、間接照明として最も美しい美観を醸し出すことができる。
【００３２】
また、本実施の形態によれば、開口側収納部１０Ａが導光板３０に対する開口１１の側において導光板３０を覆う壁部１４を有していることにより、導光板３０が直接に視認されることを防止することができる。これにより、間接照明としての美観を更に強調することができる。
【００３３】
また、本実施の形態によれば、導光板３０が発光面３１と平行に対向する背面３２を有していることにより、発光面３１から照射される光の指向性を高めることができ、照明の強さ（量）を制御することも容易である。
【００３４】
なお、本実施の形態の照明装置１００は、図７に示す通り、以下のような設計変更により、照明の仕方を微調整することができる。
（１）壁部材１４の下端縁の高さを変える。
（２）導光板３０の発光面３１の角度を変える。
（３）傾斜面１３の角度を変える。
【００３５】
以上の変更項目（１）乃至（３）は、いずれも、環状の領域の全体について一律に変更されてもよいし、局所的に（不均一となるように）変更されてもよい。これらの変更によって、底面１２への照射の具合、ひいては、底面１２での反射の具合を調整することができ、同様に、傾斜面１３への照射の具合、ひいては、傾斜面１３での反射の具合を調整することができる。
【００３６】
また、光源２０の光量を変えることによっても、照明の仕方を微調整することができる。
【符号の説明】
【００３７】
１０  収納部
１０Ａ  開口側収納部
１０Ｂ  底面側収納部
１１  開口
１２  底面
１３  傾斜面
１４  壁部材
２０  光源（ＬＥＤユニット）
３０  導光板
３１  発光面
３２  背面
１００  照明装置
【図１】
0006333640.tif 000002
【図２】
0006333640.tif 000003
【図３】
0006333640.tif 000004
【図４】
0006333640.tif 000005
【図５】
0006333640.tif 000006
【図６】
0006333640.tif 000007
【図７】
0006333640.tif 000008